(57)【要約】  本発明は、ロングターム反転駆動においてもデータ信号線の電位に生じるリップルを小さくし、表示品位を高めることを目的とする。  本発明の液晶表示装置は、複数の走査信号線と複数のデータ信号線とを備え、１本の走査信号線を選択するために１個の走査パルスが出力され、各データ信号線に一垂直走査期間ごとに極性が反転するデータ信号が出力されるとともに、同一の垂直走査期間には、任意のデータ信号線およびこれに隣接するデータ信号線の２本のデータ信号線に互いに逆極性となるデータ信号が出力される液晶表示装置であって、走査パルスが２個ずつ順次出力され、２個の走査パルス（例えば、Ｐｉ・Ｐｊ）が立ち下がるタイミングで、２個の走査パルス（例えば、Ｐｍ・Ｐｎ）が立ち上がる。
2010119597.tif 000002
【特許請求の範囲】
【請求項１】
複数の走査信号線と複数のデータ信号線とが設けられた表示装置であって、
各データ信号線に、一垂直走査期間あるいは複数垂直走査期間または複数水平走査期間ごとに極性が反転するデータ信号が出力され、
同一水平走査期間には、任意のデータ信号線とこれの一方の側に隣接配置されるデータ信号線とに互いに逆極性となるデータ信号が出力され、
走査信号線がＮ本ずつ（Ｎは１以上の整数）順次アクティブ状態とされ、
Ｎ本の走査信号線がアクティブ状態から非アクティブ化されるタイミングで、別のＮ本の走査信号線が非アクティブ状態からアクティブ化されることを特徴とする表示装置。
【請求項２】
１本の走査信号線は、これに供給される１つの走査パルスの立ち上がりによってアクティブ化された後にこの走査パルスの立ち下がりによって非アクティブ化されるか、または、これに供給される１つの走査パルスの立ち下がりによってアクティブ化された後にこの走査パルスの立ち上がりによって非アクティブ化されることを特徴とする請求項１記載の表示装置。
【請求項３】
Ｎが２以上であることを特徴とする請求項１または２記載の表示装置。
【請求項４】
自段に対応する水平走査期間の開始と同時に自段の走査パルスがアクティブ化し、自段に対応する水平走査期間の終了と同時に自段の走査パルスが非アクティブ化することを特徴とする請求項２に記載の表示装置。
【請求項５】
前段に対応する水平走査期間の開始と同時に自段の走査パルスがアクティブ化し、自段に対応する水平走査期間の終了と同時に自段の走査パルスが非アクティブ化することを特徴とする請求項２に記載の表示装置。
【請求項６】
データ信号線の断線修正を行うための予備配線が設けられ、
断線修正されたデータ信号線には、一方端からデータ信号が入力されるとともに、予備配線を経由して他方端からも該データ信号が入力されることを特徴とする請求項１〜５のいずれか１項に記載の表示装置。
【請求項７】
Ｎが２であって走査信号線が２本ずつ同時選択され、
互いに隣り合う第１および第２画素列それぞれに対応して２本ずつデータ信号線が設けられ、
各画素には１つ以上の画素電極が含まれ、
第１画素列に含まれる１つの画素電極は、トランジスタを介して、第１画素列に対応する２本のデータ信号線のいずれかに接続され、第２画素列に含まれる１つの画素電極は、トランジスタを介して、第２画素列に対応する２本のデータ信号線のいずれかに接続されていることを特徴とする請求項１〜６のいずれか１項に記載の表示装置。
【請求項８】
第１画素列に含まれる各画素電極は、第１画素列に対応して設けられた２本のデータ信号線それぞれに重なるように配され、第２画素列に含まれる各画素電極は、第２画素列に対応して設けられた２本のデータ信号線それぞれに重なるように配されていることを特徴とする請求項７記載の表示装置。
【請求項９】
第１および第２画素列それぞれにおいて、連続する２つの画素の一方に含まれる画素電極がトランジスタを介して接続されるデータ信号線と、他方に含まれる画素電極がトランジスタを介して接続されるデータ信号線とが異なっており、
上記連続する２つの画素の一方に含まれる画素電極が接続されるトランジスタが、同時選択される２本の走査信号線の一方に接続され、上記連続する２つの画素の他方に含まれる画素電極が接続されるトランジスタが、同時選択される上記２本の走査信号線の他方に接続されていることを特徴とする請求項７記載の表示装置。
【請求項１０】
同一水平走査期間には、１画素列に対応する２本のデータ信号線に異なる極性のデータ信号が供給されることを特徴とする請求項９記載の表示装置。
【請求項１１】
同一水平走査期間には、それぞれが異なる画素列に対応し、かつ互いに隣り合う２つのデータ信号線に異なる極性のデータ信号が供給されることを特徴とする請求項１０記載の表示装置。
【請求項１２】
同一水平走査期間には、それぞれが異なる画素列に対応し、かつ互いに隣り合う２つのデータ信号線に同じ極性のデータ信号が供給されることを特徴とする請求項１０記載の表示装置。
【請求項１３】
１つの画素に複数の画素電極が設けられていることを特徴とする請求項１〜１２のいずれか１項に記載の表示装置。
【請求項１４】
複数の保持容量配線を備え、
１つの画素に設けられた２つの画素電極が、同一の走査信号線に繋がる別々のトランジスタを介して同一のデータ信号線に接続され、一方の画素電極が保持容量配線と容量を形成し、他方の画素電極が別の保持容量配線と容量を形成していることを特徴とする請求項１３に記載の表示装置。
【請求項１５】
１つの画素に設けられた２つの画素電極が容量を介して接続され、一方の画素電極のみが１本の走査信号線に繋がるトランジスタを介してデータ信号線に接続されていることを特徴とする請求項１３に記載の表示装置。
【請求項１６】
複数の保持容量配線を備え、
１つの画素に設けられた２つの画素電極が、同一の走査信号線に繋がる別々のトランジスタを介して同一のデータ信号線に接続されるとともに、一方の画素電極が別の走査信号線に繋がるトランジスタを介して、保持容量配線と容量を形成する容量電極に接続されていることを特徴とする請求項１３に記載の表示装置。
【請求項１７】
１つの画素に対応して２本のデータ信号線が設けられ、
上記画素に設けられた２つの画素電極の一方が、同一の走査信号線に繋がる２つのトランジスタの一方を介して上記２本のデータ信号線の一方に接続され、上記２つの画素電極の他方が、上記２つのトランジスタの他方を介して上記２本のデータ信号線の他方に接続されていることを特徴とする請求項１３に記載の表示装置。
【請求項１８】
上記複数の走査信号線と複数のデータ信号線とが形成された基板に、櫛形の画素電極と共通電極とが形成されていることを特徴とする請求項１に記載の表示装置。
【請求項１９】
複数の走査信号線と複数のデータ信号線とが設けられた表示装置の駆動方法であって、
各データ信号線に、一垂直走査期間あるいは複数垂直走査期間または複数水平走査期間ごとに極性が反転するデータ信号を出力し、同一水平走査期間には、任意のデータ信号線とこれの一方の側に隣接配置されるデータ信号線とに互いに逆極性となるデータ信号を出力し、走査信号線をＮ本ずつ（Ｎは１以上の整数）順次アクティブ状態とし、Ｎ本の走査信号線をアクティブ状態から非アクティブ化させるタイミングで、別のＮ本の走査信号線を非アクティブ状態からアクティブ化させることを特徴とする表示装置の駆動方法。
【請求項２０】
請求項１〜１８のいずれか１項に記載の表示装置を備えることを特徴とする液晶表示装置。
【請求項２１】
請求項２０に記載の液晶表示装置と、テレビジョン放送を受信するチューナ部とを備えることを特徴とするテレビジョン受像機。
【発明の詳細な説明】
【技術分野】
【０００１】
本発明は、データ信号線に一定期間ごとに極性が反転するデータ信号が供給される液晶表示装置に関する。
【背景技術】
【０００２】
液晶表示装置ではデータ信号線に生じる寄生抵抗や寄生容量等によってソース信号（データ信号線の電位波形）に鈍りが生じ、特に大型の液晶パネルを駆動する場合には、時間的に隣接する２つのゲートパルスを間隔なく連続させると、水平走査期間の冒頭において自段の画素に前段に対応するソース信号の鈍り部分が書き込まれる現象が起こる。そこで、特許文献１には、時間的に隣接する２つのゲートパルスの一方と他方との間に一定の間隔を設ける手法（図３５参照）が開示されている。【０００３】
一方、データ信号線の駆動方法としては一水平走査期間（１Ｈ）ごとに極性が反転するデータ信号を供給する方法（１Ｈ反転駆動）が一般的であるが、この方法では液晶パネルの大型化や高速駆動化に伴ってデータ信号の鈍りが大きくなり、画素充電率が低下したり消費電力が増加したりするといった問題が生じていた。そこで、データ信号線に一垂直走査期間あるいは複数垂直走査期間ごとに極性が反転するデータ信号を供給する一方、同一水平走査期間には任意のデータ信号線とこれの一方の側に隣接配置されるデータ信号線とに互いに逆極性となるデータ信号を供給する方法（１Ｖ反転駆動あるいはｎＶ反転駆動）や、データ信号線に複数水平走査期間ごとに極性が反転するデータ信号を供給する一方、同一水平走査期間には任意のデータ信号線とこれの一方の側に隣接配置されるデータ信号線とに互いに逆極性となるデータ信号を供給する方法（ｎＨ反転駆動）が採用されだしている。以下では、上記の１Ｖ反転駆動、ｎＶ反転駆動およびｎＨ反転駆動をまとめてロングターム（ＬＴ）反転駆動と称する。
【先行技術文献】
【特許文献】
【０００４】
【特許文献１】日本国公開特許公報「特開２００８−００９３６８号公報（公開日：２００８年１月１７日）」
【発明の概要】
【発明が解決しようとする課題】
【０００５】
ここで本願発明者らは、ＬＴ反転駆動において図３５のように時間的に隣接する２つのゲートパルスの一方と他方との間に一定の間隔を設けると以下の問題が生じることを見出した。【０００６】
すなわち、データ信号線と走査信号線の交差部に生じる寄生容量に起因して、ゲートパルスの立ち上がり時（走査期間の開始時）および立ち下がり時（走査期間の終了時）にデータ信号線の電位にリップル（波状の変動）が生じ、さらに図３６に示すように、このリップルの大きさがデータ信号の供給源から離れる（データ信号線の寄生抵抗が大きくなる）にしたがって大きくなり、例えばソースドライバから離れた画面下部の色みが変化する等の表示品位の低下を招来している。これは、ＬＴ反転駆動では、同一データ信号線に長期間同一極性のデータ信号が供給されることと、任意のデータ信号線およびこれの一方の側に隣接配置されるデータ信号線の電位が常時逆極性であるために、液晶パネルの高精細化も相まってこれらデータ信号線間の寄生容量が顕在化することとが要因になっているものと考えられる。また、このような表示品位の低下は、走査信号線を２本ずつ同時選択していくような場合に顕著である。【０００７】
本発明は、ＬＴ反転駆動を行う液晶表示装置の表示品位を高めることを目的とする。
【課題を解決するための手段】
【０００８】
本発明の表示装置は、複数の走査信号線と複数のデータ信号線とが設けられた表示装置であって、各データ信号線に、一垂直走査期間あるいは複数垂直走査期間または複数水平走査期間ごとに極性が反転するデータ信号が出力され、同一水平走査期間には、任意のデータ信号線とこれの一方の側に隣接配置されるデータ信号線とに互いに逆極性となるデータ信号が出力され、走査信号線がＮ本ずつ（Ｎは１以上の整数）順次アクティブ状態とされ、Ｎ本の走査信号線がアクティブ状態から非アクティブ化されるタイミングで、別のＮ本の走査信号線が非アクティブ状態からアクティブ化されることを特徴とする。換言すれば、Ｎ本の走査信号線がアクティブ状態から非アクティブ化されるのと実質的に同時となるように、別のＮ本の走査信号線が非アクティブ状態からアクティブ化される。【０００９】
上記構成によれば、Ｎ本の走査信号線が非アクティブ化するタイミングで、別のＮ本の走査信号線がアクティブ化するため、Ｎ本の走査信号線の非アクティブ化（例えば、Ｎ個の走査パルスの立ち下げ）によってデータ信号線が受ける影響（例えば、電位の突き下げ）が、Ｎ本の走査信号線のアクティブ化（例えば、Ｎ個の走査パルスの立ち上げ）によってデータ信号線が受ける影響（例えば、電位の突き上げ）によって概ね打ち消される。これにより、ＬＴ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【発明の効果】
【００１０】
以上のように、本表示装置によれば、ＬＴ反転駆動においてもデータ信号線の電位に生じるリップル（波状の変動）を小さくすることができ、リップルの大きさがデータ信号の供給源から離れるにしたがって大きくなるような現象を抑え、表示品位を高めることができる。
【図面の簡単な説明】
【００１１】
【図１】実施の形態１にかかる液晶表示装置の駆動方法を示すタイミングチャートである。
【図２】実施の形態１にかかる液晶パネルの構成を示す等価回路図である。
【図３】図１の駆動方法による液晶表示装置の表示状態を示す模式図である。
【図４】実施の形態１にかかる液晶表示装置の他の駆動方法を示すタイミングチャートである。
【図５】図２の液晶パネルの具体例を示す平面図である。
【図６】図５の液晶パネルの矢視断面図である。
【図７】図２に示す液晶パネルの他の具体例を示す平面図である。
【図８】図７の液晶パネルの矢視断面図である。
【図９】実施の形態１にかかる液晶パネルでのデータ信号線の断線修正方法を示す模式図である。
【図１０】実施の形態１にかかる液晶パネルの他の構成を示す等価回路図である。
【図１１】図１０の液晶パネルを備えた液晶表示装置の駆動方法を示すタイミングチャートである。
【図１２】図１１の駆動方法による液晶表示装置の表示状態を示す模式図である。
【図１３】実施の形態２にかかる液晶パネルの構成を示す等価回路図である。
【図１４】実施の形態２にかかる液晶表示装置の駆動方法を示すタイミングチャートである。
【図１５】図１４の駆動方法による液晶表示装置の表示状態を示す模式図である。
【図１６】実施の形態２にかかる液晶表示装置の他の駆動方法を示すタイミングチャートである。
【図１７】図１３の液晶パネルの具体例を示す平面図である。
【図１８】図１７の液晶パネルの矢視断面図である。
【図１９】実施の形態３にかかる液晶パネルの構成を示す等価回路図である。
【図２０】実施の形態３にかかる液晶表示装置の駆動方法を示すタイミングチャートである。
【図２１】図２０の駆動方法による液晶表示装置の表示状態を示す模式図である。
【図２２】実施の形態４にかかる液晶パネルの構成を示す等価回路図である。
【図２３】実施の形態４にかかる液晶表示装置の駆動方法を示すタイミングチャートである。
【図２４】図２３の駆動方法による液晶表示装置の表示状態を示す模式図である。
【図２５】実施の形態５にかかる液晶パネルの構成を示す等価回路図である。
【図２６】実施の形態５にかかる液晶表示装置の駆動方法を示すタイミングチャートである。
【図２７】図２６の駆動方法による液晶表示装置の表示状態を示す模式図である。
【図２８】実施の形態３にかかる液晶パネルの構成を示す等価回路図である。
【図２９】実施の形態３にかかる液晶表示装置の駆動方法を示すタイミングチャートである。
【図３０】実施の形態３にかかる液晶表示装置の他の駆動方法を示すタイミングチャートである。
【図３１】本液晶表示装置の全体構成を説明するブロック図である。
【図３２】本液晶表示装置の機能を説明するブロック図である。
【図３３】本テレビジョン受像機の機能を説明するブロック図である。
【図３４】本テレビジョン受像機の構成を示す分解斜視図である。
【図３５】液晶表示装置の従来の駆動方法を示すタイミングチャートである。
【図３６】ＬＴ反転駆動において図３５の駆動方法を用いたときの問題点を説明する模式図である。
【発明を実施するための形態】
【００１２】
本実施の形態を、図１〜３４を用いて説明すれば、以下のとおりである。なお、説明の便宜のため、以下では走査信号線の延伸方向を行方向とする。ただし、本液晶パネル（あるいはこれに用いられるアクティブマトリクス基板）を備えた液晶表示装置の利用（視聴）状態において、その走査信号線が横方向に延伸していても縦方向に延伸していてもよいことはいうまでもない。なお、液晶パネルを示す図面では、配向規制用構造物を適宜省略記載している。
【００１３】
〔実施の形態１〕
図２は実施の形態１にかかる液晶パネルの一部を示す等価回路図である。図２に示すように、本液晶パネルでは、データ信号線１５ｘ・１５ｙ・１５Ｘ・１５Ｙがこの順に並べられ、行方向（図中左右方向）に延伸する走査信号線１６ｉ・１６ｊ・１６ｍ・１６ｎ・１６ｗ・１６ｕがこの順に並べられ、データ信号線１５ｘ・１５ｙおよび走査信号線１６ｉの交差部に対応して画素１０1が設けられ、データ信号線１５ｘ・１５ｙおよび走査信号線１６ｊの交差部に対応して画素１０２が設けられ、データ信号線１５ｘ・１５ｙおよび走査信号線１６ｍの交差部に対応して画素１０３が設けられ、データ信号線１５ｘ・１５ｙおよび走査信号線１６ｎの交差部に対応して画素１０４が設けられ、データ信号線１５Ｘ・１５Ｙおよび走査信号線１６ｉの交差部に対応して画素１０５が設けられ、データ信号線１５Ｘ・１５Ｙおよび走査信号線１６ｊの交差部に対応して画素１０６が設けられ、データ信号線１５Ｘ・１５Ｙおよび走査信号線１６ｍの交差部に対応して画素１０７が設けられ、データ信号線１５Ｘ・１５Ｙおよび走査信号線１６ｎの交差部に対応して画素１０８が設けられ、画素１０１・１０５に対応して保持容量配線１８ｐが設けられ、画素１０２・１０６に対応して保持容量配線１８ｑが設けられ、画素１０３・１０７に対応して保持容量配線１８ｒが設けられ、画素１０４・１０８に対応して保持容量配線１８ｓが設けられている。
【００１４】
ここで、画素１０１〜１０４を含む画素列αに隣接して、画素１０５〜１０８を含む画素列βが配され、データ信号線１５ｘ・１５ｙは画素列αに対応して設けられ、データ信号線１５Ｘ・１５Ｙは画素列βに対応して設けられている。
【００１５】
さらに、各画素には１つずつ画素電極が配され、画素１０１の画素電極１７ｉは、走査信号線１６ｉに繋がるトランジスタ１２ｉを介してデータ信号線１５ｘに接続され、画素１０２の画素電極１７ｊは、走査信号線１６ｊに繋がるトランジスタ１２ｊを介してデータ信号線１５ｙに接続され、画素１０３の画素電極１７ｍは、走査信号線１６ｍに繋がるトランジスタ１２ｍを介してデータ信号線１５ｘに接続され、画素１０４の画素電極１７ｎは、走査信号線１６ｎに繋がるトランジスタ１２ｎを介してデータ信号線１５ｙに接続され、画素１０５の画素電極１７Ｉは、走査信号線１６ｉに繋がるトランジスタ１２Ｉを介してデータ信号線１５Ｙに接続され、画素１０６の画素電極１７Ｊは、走査信号線１６ｊに繋がるトランジスタ１２Ｊを介してデータ信号線１５Ｘに接続され、画素１０７の画素電極１７Ｍは、走査信号線１６ｍに繋がるトランジスタ１２Ｍを介してデータ信号線１５Ｙに接続され、画素１０８の画素電極１７Ｎは、走査信号線１６ｎに繋がるトランジスタ１２Ｎを介してデータ信号線１５Ｘに接続される。
【００１６】
なお、画素１０１の画素電極１７ｉおよび画素１０５の画素電極１７Ｉが接続される走査信号線１６ｉと、画素１０２の画素電極１７ｊおよび画素１０６の画素電極１７Ｊが接続される走査信号線１６ｊとが同時選択される（後述）。また、画素１０３の画素電極１７ｍおよび画素１０７の画素電極１７Ｍが接続される走査信号線１６ｍと、画素１０４の画素電極１７ｎおよび画素１０８の画素電極１７Ｎが接続される走査信号線１６ｎとが同時選択される（後述）。
【００１７】
また、保持容量配線１８ｐと画素電極１７ｉ・１７Ｉそれぞれとの間に保持容量が形成され、保持容量配線１８ｑと画素電極１７ｊ・１７Ｊそれぞれとの間に保持容量が形成され、保持容量配線１８ｒと画素電極１７ｍ・１７Ｍそれぞれとの間に保持容量が形成され、保持容量配線１８ｓと画素電極１７ｎ・１７Ｎそれぞれとの間に保持容量が形成され、各画素電極と共通電極ｃｏｍとの間に液晶容量が形成される。
【００１８】
図１は、図２の液晶パネル（ノーマリブラックモード）を備えた本液晶表示装置の駆動方法を示すタイミングチャートである。なお、Ｓｘ・Ｓｙ・ＳＸ・ＳＹはそれぞれデータ信号線１５ｘ・１５ｙ・１５Ｘ・１５Ｙに供給されるデータ信号（データ信号）を示し、ＧＰｉ・ＧＰｊ・ＧＰｍ・ＧＰｎ・ＧＰｗ・ＧＰｕはそれぞれ、走査信号線１６ｉ・１６ｊ・１６ｍ・１６ｎ・１６ｗ・１６ｕに供給されるゲートパルス信号を示している。また、図３（ａ）は図２の一部の模式図であり、図３（ｂ）〜（ｄ）は、図１のｋ番目の水平走査期間から（ｋ＋２）番目の水平走査期間における、図３（ａ）の部分への書き込み状態を示す模式図である。
【００１９】
本駆動方法では、図１に示されるように、走査信号線を２本ずつ同時選択していきつつ、データ信号線に一垂直走査期間（１Ｖ）ごとに極性が反転するデータ信号を供給し、同一垂直走査期間においては、１画素列に対応する２本のデータ信号線に供給するデータ信号（信号電位）を異なる極性とするとともに、それぞれが異なる画素列に対応して設けられ、互いに隣り合う２つのデータ信号線に供給するデータ信号を異なる極性とする。そして、２個の走査パルスを立ち下げるタイミングで、２個の走査パルスを立ち上げ、自段に対応する水平走査期間の開始と同時に自段の走査パルスを立ち上げ、次段に対応する水平走査期間の開始（自段に対応する水平走査期間の終了）と同時に自段の走査パルスを立ち下げる。
【００２０】
具体的には、連続するフレームＦ１・Ｆ２のＦ１では以下の駆動方法となる。まずＦ１においてはデータ信号線１５ｘ・１５Ｘにはプラス極性のデータ信号を供給し、データ信号線１５ｙ・１５Ｙにはマイナス極性のデータ信号を供給する。
【００２１】
そして、ｋ番目の水平走査期間の開始（すなわち、ｋ番目の水平走査期間に対応するデータ信号への切り替わり）と同時にゲートパルス信号ＧＰｉのパルスＰｉとゲートパルス信号ＧＰｊのパルスＰｊとを立ち上げ、（ｋ＋１）番目の水平走査期間の開始（ｋ番目の水平走査期間の終了）と同時にパルスＰｉとパルスＰｊとを立ち下げる。
【００２２】
これにより、図３（ａ）（ｂ）に示すように、画素１０１の画素電極１７ｉにはプラス極性、画素１０２の画素電極１７ｊにはマイナス極性、画素１０５の画素電極１７Ｉにはマイナス極性、画素１０６の画素電極１７Ｊにはプラス極性のデータ信号が書き込まれる。
【００２３】
また、（ｋ＋１）番目の水平走査期間の開始と同時にゲートパルス信号ＧＰｍのパルスＰｍとゲートパルス信号ＧＰｎのパルスＰｎとを立ち上げ、（ｋ＋２）番目の水平走査期間の開始と同時にパルスＰｍとパルスＰｎとを立ち下げる。
【００２４】
これにより、図３（ａ）（ｃ）に示すように、画素１０３の画素電極１７ｍにはプラス極性、画素１０４の画素電極１７ｎにはマイナス極性、画素１０７の画素電極１７Ｍにはマイナス極性、画素１０８の画素電極１７Ｎにはプラス極性のデータ信号が書き込まれる。
【００２５】
さらに、（ｋ＋２）番目の水平走査期間の開始と同時にゲートパルス信号ＧＰｗのパルスＰｗとゲートパルス信号ＧＰｕのパルスＰｕとを立ち上げ、（ｋ＋３）番目の水平走査期間の開始と同時にパルスＰｗとパルスＰｕとを立ち下げる。これにより、走査信号線１６ｗに接続する画素電極と走査信号線１６ｕに接続する画素電極とに、図３（ｄ）に示すような極性のデータ信号が書き込まれる。
【００２６】
以上から、Ｆ１において各画素に書き込まれるデータ信号の極性分布をドット反転状とすることができる。
【００２７】
一方、Ｆ２では以下の駆動方法となる。まずＦ２においてはデータ信号線１５ｘ・１５Ｘにはマイナス極性のデータ信号を供給し、データ信号線１５ｙ・１５Ｙにはプラス極性のデータ信号を供給する。
【００２８】
そして、ｋ番目の水平走査期間の開始（すなわち、ｋ番目の水平走査期間に対応するデータ信号への切り替わり）と同時にゲートパルス信号ＧＰｉのパルスＰｉとゲートパルス信号ＧＰｊのパルスＰｊとを立ち上げ、（ｋ＋１）番目の水平走査期間の開始（ｋ番目の水平走査期間の終了）と同時にパルスＰｉとパルスＰｊとを立ち下げる。
【００２９】
これにより、画素１０１の画素電極１７ｉにはマイナス極性、画素１０２の画素電極１７ｊにはプラス極性、画素１０５の画素電極１７Ｉにはプラス極性、画素１０６の画素電極１７Ｊにはマイナス極性のデータ信号が書き込まれる。
【００３０】
また、（ｋ＋１）番目の水平走査期間の開始と同時にゲートパルス信号ＧＰｍのパルスＰｍとゲートパルス信号ＧＰｎのパルスＰｎとを立ち上げ、（ｋ＋２）番目の水平走査期間の開始と同時にパルスＰｍとパルスＰｎとを立ち下げる。
【００３１】
これにより、画素１０３の画素電極１７ｍにはマイナス極性、画素１０４の画素電極１７ｎにはプラス極性、画素１０７の画素電極１７Ｍにはプラス極性、画素１０８の画素電極１７Ｎにはマイナス極性のデータ信号が書き込まれる。
【００３２】
さらに、（ｋ＋２）番目の水平走査期間の開始と同時にゲートパルス信号ＧＰｗのパルスＰｗとゲートパルス信号ＧＰｕのパルスＰｕとを立ち上げ、（ｋ＋３）番目の水平走査期間の開始と同時にパルスＰｗとパルスＰｕとを立ち下げる。
【００３３】
以上から、Ｆ２においても各画素に書き込まれるデータ信号の極性分布をドット反転状とすることができる。
【００３４】
本液晶表示装置では、２個の走査パルスを立ち下げるタイミングで、２個の走査パルスを立ち上げるため、２個の走査パルスの立ち下げによってデータ信号線が受ける影響（電位の突き下げ）が、２個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【００３５】
また、本液晶表示装置では、２本の走査信号線を同時選択していくことができるため、各画素の書き込み時間をそのままにして画面の書き込み時間を半減することができる。すなわち、本液晶表示装置は倍速駆動（１２０Ｈｚ駆動）等の高速駆動に好適である。
【００３６】
また、本液晶表示装置は、各データ信号線に一垂直走査期間中同極性のデータ信号を供給しつつドット反転駆動を実現する構成であるため、低消費電力化に加え、大型化や高速駆動にも好適といえる。
【００３７】
図１の駆動方法では、自段に対応する水平走査期間の開始と同時に自段の走査パルスを立ち上げ、次段に対応する水平走査期間の開始（自段に対応する水平走査期間の終了）と同時に自段の走査パルスを立ち下げているがこれに限定されない。例えば、図４に示すように、前段に対応する水平走査期間の開始と同時に自段の走査パルスを立ち上げ、次段に対応する水平走査期間の開始（自段に対応する水平走査期間の終了）と同時に自段の走査パルスを立ち下げてもよい。この場合、走査パルスの幅は２Ｈとなる。
【００３８】
具体的には、（ｋ−１）番目の水平走査期間の開始と同時にパルスＰｉとパルスＰｊとを立ち上げ、ｋ番目の水平走査期間の開始と同時にパルスＰｍとパルスＰｎとを立ち上げ、（ｋ＋１）番目の水平走査期間の開始（ｋ番目の水平走査期間の終了）と同時にパルスＰｉとパルスＰｊとを立ち下げるとともに、パルスＰｗとパルスＰｕとを立ち上げる。
【００３９】
図４の駆動方法では、パルスの前半（１Ｈ）でプリチャージして後半（１Ｈ）で本チャージすることができるため、画素充電率を高めることができる。もちろんこの場合においても、２個の走査パルスが立ち下がるタイミングで、２個の走査パルスが立ち上がるため、リップルの大きさがデータ信号の供給源から離れるにしたがって大きくなるような現象（図３６参照）を抑え、表示品位を高めることができる。
【００４０】
図２の液晶パネル（画素１０１・１０２・１０５・１０６の部分）の一具体例を、図５の平面図およびその矢視断面図である図６に示す。本液晶パネルのアクティブマトリクス基板では、透明基板３１上に、行方向に延伸する走査信号線１６ｉ・１６ｊと、行方向に延伸する保持容量配線１８ｐ・１８ｑとが形成され、これらを覆うようにゲート絶縁膜４３が形成され、ゲート絶縁膜４３上には、列方向に延伸するデータ信号線１５ｘ・１５ｙ・１５Ｘ・１５Ｙと、トランジスタ１２ｉ・１２ｊ・１２Ｉ・１２Ｊそれぞれの半導体層（ｉ層およびｎ＋層）並びにソース電極およびドレイン電極と、ドレイン引き出し電極２７と、容量電極３７と、延伸配線４７とを含むメタル層が形成される。また、このメタル層を覆うように無機層間絶縁膜２５が形成され、その上層に無機層間絶縁膜２５よりも厚い有機層間絶縁膜２６が形成される。さらに、有機層間絶縁膜２６上に、画素電極１７ｉ・１７ｊ・１７Ｉ・１７Ｊが形成され、これらを覆うように配向膜９が形成されている。なお、コンタクトホール１１の形成部では無機層間絶縁膜２５および有機層間絶縁膜２６が刳り貫かれ、画素電極と容量電極３７とが接触している。一方、カラーフィルタ基板３０では、ガラス基板３２上にブラックマトリクス１３および着色層（カラーフィルタ層）１４が形成され、その上層に共通電極（ｃｏｍ）２８が形成され、さらにこれを覆うように配向膜１９が形成されている。
【００４１】
本液晶パネルでは、例えば、画素電極１７ｊの走査方向上流側のエッジは、走査信号線１６ｉの走査方向下流側のエッジと重なる一方、画素電極１７ｊの走査方向下流側のエッジは、走査信号線１６ｊの走査方向上流側のエッジと重なっており、平面的に視ると、画素電極１７ｊの列方向に沿う２つのエッジは、データ信号線１５ｘおよびデータ信号線１５ｙの外側に位置している。また、保持容量配線と容量電極とがゲート絶縁膜を介して重なる部分に保持容量が形成されている。
【００４２】
図２に示す液晶パネル（画素１０１・１０２・１０５・１０６の部分）の他の具体例を、図７の平面図およびその矢視断面図である図８に示す。本液晶パネルのアクティブマトリクス基板では、透明基板３１上に、行方向に延伸する走査信号線１６ｉ・１６ｊと、行方向に延伸する保持容量配線１８ｐ・１８ｑとが形成され、これらを覆うようにゲート絶縁膜４３が形成され、ゲート絶縁膜４３上には、列方向に延伸するデータ信号線１５ｘ・１５ｙ・１５Ｘ・１５Ｙと、トランジスタ１２ｉ・１２ｊ・１２Ｉ・１２Ｊそれぞれの半導体層（ｉ層およびｎ＋層）並びにソース電極およびドレイン電極と、容量電極３７と、共通電極ｃｏｍとを含むメタル層が形成される。また、このメタル層を覆うように無機層間絶縁膜２５が形成され、無機層間絶縁膜２５上に、櫛型の画素電極１７ｉ・１７ｊ・１７Ｉ・１７Ｊが形成され、これらを覆うように配向膜９が形成されている。なお、コンタクトホール１１の形成部では無機層間絶縁膜２５が刳り貫かれ、画素電極と容量電極３７とが接触している。また、コンタクトホール１１１の形成部ではゲート絶縁膜４３が刳り貫かれ、共通電極ｃｏｍと保持容量配線とが接触している。一方、カラーフィルタ基板３０では、ガラス基板３２上にブラックマトリクス１３および着色層（カラーフィルタ層）１４が形成され、これらを覆うように配向膜１９が形成されている。
【００４３】
本液晶パネルでは、櫛型の画素電極と共通電極ｃｏｍとの間に生じる斜め電界によって液晶の透過率が制御されるため、視野角特性の向上が可能となる。
【００４４】
本液晶表示装置には、図９（ａ）に示すように、データ信号線の断線を修正するための予備配線ＰＷを設けておくことが望ましい。予備配線ＰＷは表示領域を取り囲むように引き回されており、例えば図９（ｂ）に示すように、データ信号線１５ｘが断線した場合には、データ信号線１５ｘの入力端（ソースドライバに最も近い箇所）近傍と出力端（ソースドライバに最も遠い場所）近傍とを予備配線ＰＷに接続する（図９（ｃ）参照）。こうすれば、断線箇所以降の部分（箇所断線箇所から出力端までの部分）にも、予備配線ＰＷを介してデータ信号を送ることができ、データ信号線１５ｘの断線を修正することができる。
【００４５】
ここで、リップルの大きさがデータ信号の供給源から離れるにしたがって大きくなるような現象がある場合（図３６参照）にデータ信号線の予備配線を行うと、断線箇所以降の部分（特に出力端近傍）におけるリップルの大きさが周りと異なり、修正跡が残ってしまうという問題があるが、本液晶表示装置では、上記のような現象を抑えることができるため、修正跡が残らないというメリットがある。
【００４６】
本液晶パネルは、図１０のように構成することもできる。すなわち、各画素に１つの画素電極が配され、画素１０１の画素電極１７ｉは、走査信号線１６ｉに繋がるトランジスタ１２ｉを介してデータ信号線１５ｘに接続され、画素１０２の画素電極１７ｊは、走査信号線１６ｊに繋がるトランジスタ１２ｊを介してデータ信号線１５ｙに接続され、画素１０３の画素電極１７ｍは、走査信号線１６ｍに繋がるトランジスタ１２ｍを介してデータ信号線１５ｘに接続され、画素１０４の画素電極１７ｎは、走査信号線１６ｎに繋がるトランジスタ１２ｎを介してデータ信号線１５ｙに接続され、画素１０５の画素電極１７Ｉは、走査信号線１６ｉに繋がるトランジスタ１２Ｉを介してデータ信号線１５Ｘに接続され、画素１０６の画素電極１７Ｊは、走査信号線１６ｊに繋がるトランジスタ１２Ｊを介してデータ信号線１５Ｙに接続され、画素１０７の画素電極１７Ｍは、走査信号線１６ｍに繋がるトランジスタ１２Ｍを介してデータ信号線１５Ｘに接続され、画素１０８の画素電極１７Ｎは、走査信号線１６ｎに繋がるトランジスタ１２Ｎを介してデータ信号線１５Ｙに接続される。
【００４７】
図１０の液晶パネルを備えた液晶表示装置を駆動する場合、図１１に示すように、Ｆ１においてはデータ信号線１５ｘ・１５Ｙにはプラス極性のデータ信号を供給し、データ信号線１５ｙ・１５Ｘにはマイナス極性のデータ信号を供給することで、図１２（ａ）〜（ｄ）に示すように、Ｆ１において各画素に書き込まれるデータ信号の極性分布をドット反転状とすることができる。また、Ｆ２においてはデータ信号線１５ｘ・１５Ｙにはマイナス極性のデータ信号を供給し、データ信号線１５ｙ・１５Ｘにはプラス極性のデータ信号を供給することで、Ｆ２においても各画素に書き込まれるデータ信号の極性分布をドット反転状とすることができる。
【００４８】
〔実施の形態２〕
図１３は実施の形態２にかかる液晶パネルの一部を示す等価回路図である。図１３に示すように、本液晶パネルでは、データ信号線１５ｘ・１５ｙ・１５Ｘ・１５Ｙがこの順に並べられ、行方向（図中左右方向）に延伸する走査信号線１６ｉ・１６ｊ・１６ｍ・１６ｎがこの順に並べられ、データ信号線１５ｘ・１５ｙおよび走査信号線１６ｉの交差部に対応して画素１０1が設けられ、データ信号線１５ｘ・１５ｙおよび走査信号線１６ｊの交差部に対応して画素１０２が設けられ、データ信号線１５ｘ・１５ｙおよび走査信号線１６ｍの交差部に対応して画素１０３が設けられ、データ信号線１５ｘ・１５ｙおよび走査信号線１６ｎの交差部に対応して画素１０４が設けられ、データ信号線１５Ｘ・１５Ｙおよび走査信号線１６ｉの交差部に対応して画素１０５が設けられ、データ信号線１５Ｘ・１５Ｙおよび走査信号線１６ｊの交差部に対応して画素１０６が設けられ、データ信号線１５Ｘ・１５Ｙおよび走査信号線１６ｍの交差部に対応して画素１０７が設けられ、データ信号線１５Ｘ・１５Ｙおよび走査信号線１６ｎの交差部に対応して画素１０８が設けられ、画素１０１・１０５に対応して保持容量配線１８ｋが設けられ、画素１０１・１０５・１０２・１０６に対応して保持容量配線１８ｐが設けられ、画素１０２・１０６・１０３・１０７に対応して保持容量配線１８ｑが設けられ、画素１０３・１０７・１０４・１０８に対応して保持容量配線１８ｒが設けられ、画素１０４・１０８に対応して保持容量配線１８ｓが設けられている。
【００４９】
ここで、画素１０１〜１０４を含む画素列αに隣接して、画素１０５〜１０８を含む画素列βが配され、データ信号線１５ｘ・１５ｙは画素列αに対応して設けられ、データ信号線１５Ｘ・１５Ｙは画素列βに対応して設けられている。
【００５０】
さらに、各画素には２つずつ画素電極が配され、画素１０１の画素電極１７ｉａは、走査信号線１６ｉに繋がるトランジスタ１２ｉａを介してデータ信号線１５ｘに接続され、画素１０１の画素電極１７ｉｂは、走査信号線１６ｉに繋がるトランジスタ１２ｉｂを介してデータ信号線１５ｘに接続され、画素１０２の画素電極１７ｊａは、走査信号線１６ｊに繋がるトランジスタ１２ｊａを介してデータ信号線１５ｙに接続され、画素１０２の画素電極１７ｊｂは、走査信号線１６ｊに繋がるトランジスタ１２ｊｂを介してデータ信号線１５ｙに接続され、画素１０３の画素電極１７ｍａは、走査信号線１６ｍに繋がるトランジスタ１２ｍａを介してデータ信号線１５ｘに接続され、画素１０３の画素電極１７ｍｂは、走査信号線１６ｍに繋がるトランジスタ１２ｍｂを介してデータ信号線１５ｘに接続され、画素１０４の画素電極１７ｎａは、走査信号線１６ｎに繋がるトランジスタ１２ｎａを介してデータ信号線１５ｙに接続され、画素１０４の画素電極１７ｎｂは、走査信号線１６ｎに繋がるトランジスタ１２ｎｂを介してデータ信号線１５ｙに接続され、画素１０５の画素電極１７ＩＡは、走査信号線１６ｉに繋がるトランジスタ１２ＩＡを介してデータ信号線１５Ｙに接続され、画素１０５の画素電極１７ＩＢは、走査信号線１６ｉに繋がるトランジスタ１２ＩＢを介してデータ信号線１５Ｙに接続され、画素１０６の画素電極１７ＪＡは、走査信号線１６ｊに繋がるトランジスタ１２ＪＡを介してデータ信号線１５Ｘに接続され、画素１０６の画素電極１７ＪＢは、走査信号線１６ｊに繋がるトランジスタ１２ＪＢを介してデータ信号線１５Ｘに接続される。
【００５１】
なお、走査信号線１６ｉと走査信号線１６ｉとが同時選択され、走査信号線１６ｍと走査信号線１６ｎとが同時選択される（後述）。
【００５２】
また、保持容量配線１８ｋと画素電極１７ｉａ・１７ＩＡそれぞれとの間に保持容量が形成され、保持容量配線１８ｐと画素電極１７ｉｂ・１７ＩＢ・１７ｊａ・１７ＪＡそれぞれとの間に保持容量が形成され、保持容量配線１８ｑと１７ｊｂ・１７ＪＢ・１７ｍａ・１７ＭＡ画素電極それぞれとの間に保持容量が形成され、保持容量配線１８ｒと画素電極１７ｍｂ・１７ＭＢ・１７ｎａ・１７ＮＡそれぞれとの間に保持容量が形成されている。また、各画素電極と共通電極ｃｏｍとの間に液晶容量が形成されている。
【００５３】
図１４は、図１３の液晶パネル（ノーマリブラックモード）を備えた本液晶表示装置の駆動方法を示すタイミングチャートである。なお、Ｓｘ・Ｓｙ・ＳＸ・ＳＹはそれぞれデータ信号線１５ｘ・１５ｙ・１５Ｘ・１５Ｙに供給されるデータ信号（データ信号）を示し、ＧＰｉ・ＧＰｊ・ＧＰｍ・ＧＰｎはそれぞれ、走査信号線１６ｉ・１６ｊ・１６ｍ・１６ｎに供給されるゲートパルス信号を示し、Ｃｓｋ・Ｃｓｐ・Ｃｓｑ・Ｃｓｒ・Ｃｓｓはそれぞれ、保持容量配線１８ｋ・１８ｐ・１８ｑ・１８ｒ・１８ｓに供給される保持容量配線信号を示している。また、図１５（ａ）は図１４の一部の模式図であり、図１５（ｂ）・（ｃ）は、図１４のｋ番目の水平走査期間から（ｋ＋１）番目の水平走査期間における、図１５（ａ）の部分への書き込み状態を示す模式図である。
【００５４】
本駆動方法では、図１４に示されるように、走査信号線を２本ずつ同時選択していきつつ、データ信号線に一垂直走査期間（１Ｖ）ごとに極性が反転するデータ信号を供給し、同一垂直走査期間においては、１画素列に対応する２本のデータ信号線に供給するデータ信号（信号電位）を異なる極性とするとともに、それぞれが異なる画素列に対応して設けられ、互いに隣り合う２つのデータ信号線に供給するデータ信号を異なる極性とする。そして、２個の走査パルスを立ち下げるタイミングで、２個の走査パルスを立ち上げ、自段に対応する水平走査期間の開始と同時に自段の走査パルスを立ち上げ、次段に対応する水平走査期間の開始（自段に対応する水平走査期間の終了）と同時に自段の走査パルスを立ち下げる。さらに、各保持容量配線には、４Ｈ（水平走査期間）ごとに極性が反転する保持容量配線信号を供給する。
【００５５】
具体的には、連続するフレームＦ１・Ｆ２のＦ１では以下の駆動方法となる。まずＦ１においてはデータ信号線１５ｘ・１５Ｘにはプラス極性のデータ信号を供給し、データ信号線１５ｙ・１５Ｙにはマイナス極性のデータ信号を供給する。
【００５６】
そして、ｋ番目の水平走査期間の開始（すなわち、ｋ番目の水平走査期間に対応するデータ信号への切り替わり）と同時にゲートパルス信号ＧＰｉのパルスＰｉとゲートパルス信号ＧＰｊのパルスＰｊとを立ち上げ、（ｋ＋１）番目の水平走査期間の開始（ｋ番目の水平走査期間の終了）と同時にパルスＰｉとパルスＰｊとを立ち下げる。さらに、（ｋ＋１）番目の水平走査期間の開始（ｋ番目の水平走査期間の終了）と同時に、保持容量配線信号Ｃｓｋをマイナス極性からプラス極性に反転させるとともに、保持容量配線信号Ｃｓｐをプラス極性からマイナス極性に反転させる。
【００５７】
これにより、図１５（ａ）（ｂ）に示すように、画素電極１７ｉａの電位はプラス極性で実効電位は書き込まれたデータ信号の電位よりも高く、画素電極１７ｉａを含む副画素は明副画素となり、画素電極１７ｉｂの電位はプラス極性で、実効電位は書き込まれたデータ信号の電位よりも低く、画素電極１７ｉｂを含む副画素は暗副画素となる。また、画素電極１７ＩＡの電位はマイナス極性で実効電位は書き込まれたデータ信号の電位よりも高く、画素電極１７ＩＡを含む副画素は暗副画素となり、画素電極１７ＩＢの電位はマイナス極性で、実効電位は書き込まれたデータ信号の電位よりも低く、画素電極１７ＩＢを含む副画素は明副画素となる。また、画素電極１７ｊａの電位はマイナス極性で実効電位は書き込まれたデータ信号の電位よりも低く、画素電極１７ｊａを含む副画素は明副画素となり、画素電極１７ＪＡの電位はプラス極性で実効電位は書き込まれたデータ信号の電位よりも低く、画素電極１７ＪＡを含む副画素は暗副画素となる。また、画素電極１７ｊｂにはマイナス極性のデータ信号が書き込まれ、画素電極１７ＪＢにはプラス極性のデータ信号が書き込まれる。
【００５８】
そして、（ｋ＋１）番目の水平走査期間の開始と同時にゲートパルス信号ＧＰｍのパルスＰｍとゲートパルス信号ＧＰｎのパルスＰｎとを立ち上げ、（ｋ＋２）番目の水平走査期間の開始と同時にパルスＰｍとパルスＰｎとを立ち下げる。さらに、（ｋ＋２）番目の水平走査期間の開始と同時に、保持容量配線信号Ｃｓｑをマイナス極性からプラス極性に反転させるとともに、保持容量配線信号Ｃｓｒをプラス極性からマイナス極性に反転させる。
【００５９】
これにより、図１５（ａ）（ｃ）に示すように、また、画素電極１７ｊｂの電位はマイナス極性で実効電位は書き込まれたデータ信号の電位よりも高く、画素電極１７ｊｂを含む副画素は暗副画素となり、画素電極１７ＪＢの電位はプラス極性で、実効電位は書き込まれたデータ信号の電位よりも高く、画素電極１７ＪＢを含む副画素は明副画素となる。また、画素電極１７ｍａの電位はプラス極性で実効電位は書き込まれたデータ信号の電位よりも高く、画素電極１７ｍａを含む副画素は明副画素となり、画素電極１７ｍｂの電位はプラス極性で、実効電位は書き込まれたデータ信号の電位よりも低く、画素電極１７ｍｂを含む副画素は暗副画素となる。また、画素電極１７ＭＡの電位はマイナス極性で実効電位は書き込まれたデータ信号の電位よりも高く、画素電極１７ＭＡを含む副画素は暗副画素となり、画素電極１７ＭＢの電位はマイナス極性で、実効電位は書き込まれたデータ信号の電位よりも低く、画素電極１７ＭＢを含む副画素は明副画素となる。また、画素電極１７ｎａの電位はマイナス極性で実効電位は書き込まれたデータ信号の電位よりも低く、画素電極１７ｎａを含む副画素は明副画素となり、画素電極１７ＮＡの電位はプラス極性で実効電位は書き込まれたデータ信号の電位よりも低く、画素電極１７ＮＡを含む副画素は暗副画素となる。また、画素電極１７ｎｂにはマイナス極性のデータ信号が書き込まれ、画素電極１７ＮＢにはプラス極性のデータ信号が書き込まれる。
【００６０】
以上から、Ｆ１において各画素に書き込まれるデータ信号の極性分布をドット反転状とし、さらに、明暗市松表示（行方向および列方向それぞれについて、明副画素と暗副画素が交互に並ぶような表示）も可能となる。
【００６１】
一方、Ｆ２では以下の駆動方法となる。まずＦ１においてはデータ信号線１５ｘ・１５Ｘにはマイナス極性のデータ信号を供給し、データ信号線１５ｙ・１５Ｙにはプラス極性のデータ信号を供給する。
【００６２】
そして、ｋ番目の水平走査期間の開始（すなわち、ｋ番目の水平走査期間に対応するデータ信号への切り替わり）と同時にゲートパルス信号ＧＰｉのパルスＰｉとゲートパルス信号ＧＰｊのパルスＰｊとを立ち上げ、（ｋ＋１）番目の水平走査期間の開始（ｋ番目の水平走査期間の終了）と同時にパルスＰｉとパルスＰｊとを立ち下げる。さらに、（ｋ＋１）番目の水平走査期間の開始（ｋ番目の水平走査期間の終了）と同時に、保持容量配線信号Ｃｓｋをプラス極性からマイナス極性に反転させるとともに、保持容量配線信号Ｃｓｐをマイナス極性からプラス極性に反転させる。
【００６３】
そして、（ｋ＋１）番目の水平走査期間の開始と同時にゲートパルス信号ＧＰｍのパルスＰｍとゲートパルス信号ＧＰｎのパルスＰｎとを立ち上げ、（ｋ＋２）番目の水平走査期間の開始と同時にパルスＰｍとパルスＰｎとを立ち下げる。さらに、（ｋ＋２）番目の水平走査期間の開始と同時に、保持容量配線信号Ｃｓｑをプラス極性からマイナス極性に反転させるとともに、保持容量配線信号Ｃｓｒをマイナス極性からプラス極性に反転させる。
【００６４】
本液晶表示装置では明・暗副画素によって中間調を表示することができるため、視野角特性を高めることができる。また、明暗市松表示によって、明副画素あるいは暗副画素が連続して並ぶことで生じる縞状のムラを抑制することができる
また、本液晶表示装置でも、２個の走査パルスを立ち下げるタイミングで、２個の走査パルスを立ち上げるため、２個の走査パルスの立ち下げによってデータ信号線が受ける影響（電位の突き下げ）が、２個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【００６５】
図１４の駆動方法では、自段に対応する水平走査期間の開始と同時に自段の走査パルスを立ち上げ、次段に対応する水平走査期間の開始（自段に対応する水平走査期間の終了）と同時に自段の走査パルスを立ち下げているがこれに限定されない。例えば、図１６に示すように、前段に対応する水平走査期間の開始と同時に自段の走査パルスを立ち上げ、次段に対応する水平走査期間の開始（自段に対応する水平走査期間の終了）と同時に自段の走査パルスを立ち下げてもよい。この場合、走査パルスの幅は２Ｈとなる。
【００６６】
具体的には、（ｋ−１）番目の水平走査期間の開始と同時にパルスＰｉとパルスＰｊとを立ち上げ、ｋ番目の水平走査期間の開始と同時にパルスＰｍとパルスＰｎとを立ち上げ、（ｋ＋１）番目の水平走査期間の開始（ｋ番目の水平走査期間の終了）と同時にパルスＰｉとパルスＰｊとを立ち下げ、（ｋ＋２）番目の水平走査期間の開始と同時にパルスＰｍとパルスＰｎとを立ち下げる。
【００６７】
図１６の駆動方法では、パルスの前半（１Ｈ）でプリチャージして後半（１Ｈ）で本書き込みすることができるため、画素充電率を高めることができる。もちろんこの場合においても、２個の走査パルスが立ち下がるタイミングで、２個の走査パルスが立ち上がるため、リップルの大きさがデータ信号の供給源から離れるにしたがって大きくなるような現象（図３６参照）を抑え、表示品位を高めることができる。
【００６８】
図１３の液晶パネル（画素１０１・１０２・１０５・１０６の部分）の一具体例を、図１７の平面図およびその矢視断面図である図１８に示す。本液晶パネルのアクティブマトリクス基板では、透明基板３１上に、行方向に延伸する走査信号線１６ｉ・１６ｊと、行方向に延伸する保持容量配線１８ｋ・１８ｐ・１８ｑとが形成され、これらを覆うようにゲート絶縁膜４３が形成され、ゲート絶縁膜４３上には、列方向に延伸するデータ信号線１５ｘ・１５ｙ・１５Ｘ・１５Ｙと、トランジスタ１２ｉａ・１２ｉｂ・１２ｊａ・１２ｊｂ・１２ＩＡ・１２ＩＢ・１２ＪＡ・１２ＪＢそれぞれの半導体層（ｉ層およびｎ＋層）並びにソース電極およびドレイン電極と、ドレイン引き出し電極２７と、容量電極３７とを含むメタル層が形成される。また、このメタル層を覆うように無機層間絶縁膜２５が形成され、その上層に無機層間絶縁膜２５よりも厚い有機層間絶縁膜２６が形成される。さらに、有機層間絶縁膜２６上に、画素電極１７ｉａ・１７ｉｂ・１７ｊａ・１２ｊｂ・１７ＩＡ・１７ＩＢ・１７ＪＡ・１７ＪＢが形成され、これらを覆うように配向膜９が形成されている。なお、コンタクトホール１１の形成部では無機層間絶縁膜２５および有機層間絶縁膜２６が刳り貫かれ、画素電極と容量電極３７とが接触している。一方、カラーフィルタ基板３０では、ガラス基板３２上にブラックマトリクス１３および着色層（カラーフィルタ層）１４が形成され、その上層に共通電極（ｃｏｍ）２８が形成され、さらにこれを覆うように配向膜１９が形成されている。
【００６９】
本液晶パネルでは、例えば、画素電極１７ｉａの走査方向上流側のエッジは、保持容量配線１８ｋと重なる一方、画素電極１７ｉａの走査方向下流側のエッジは、走査信号線１６ｉの走査方向上流側のエッジと重なっており、平面的に視ると、画素電極１７ｉａの列方向に沿う２つのエッジは、データ信号線１５ｘおよびデータ信号線１５ｙの外側に位置している。また、画素電極１７ｉｂの走査方向上流側のエッジは、走査信号線１６ｉの走査方向下流側のエッジと重なる一方、画素電極１７ｉｂの走査方向下流側のエッジは保持容量配線１８ｐと重なっており、平面的に視ると、画素電極１７ｉｂの列方向に沿う２つのエッジは、データ信号線１５ｘおよびデータ信号線１５ｙの外側に位置している。また、保持容量配線と容量電極とがゲート絶縁膜を介して重なる部分に保持容量が形成されている。
【００７０】
〔実施の形態３〕
図１９は実施の形態３にかかる液晶パネルの一部を示す等価回路図である。図１９に示すように、本液晶パネルのデータ信号線、走査信号線、保持容量配線およびトランジスタ並びに画素の配置は図２と同じである。
【００７１】
そして、各画素には２つずつ画素電極が配され、画素１０１の画素電極１７ｉａは、走査信号線１６ｉに繋がるトランジスタ１２ｉを介してデータ信号線１５ｘに接続され、画素１０１の画素電極１７ｉｂは、結合容量を介して画素電極１７ｉａに接続され、画素１０２の画素電極１７ｊａは、走査信号線１６ｊに繋がるトランジスタ１２ｊを介してデータ信号線１５ｙに接続され、画素１０２の画素電極１７ｊｂは、結合容量を介して画素電極１７ｊａに接続され、画素１０３の画素電極１７ｍａは、走査信号線１６ｍに繋がるトランジスタ１２ｍを介してデータ信号線１５ｘに接続され、画素１０３の画素電極１７ｍｂは、結合容量を介して画素電極１７ｍａに接続され、画素１０４の画素電極１７ｎａは、走査信号線１６ｎに繋がるトランジスタ１２ｎを介してデータ信号線１５ｙに接続され、画素１０４の画素電極１７ｎｂは、結合容量を介して画素電極１７ｎａに接続され、画素１０５の画素電極１７ＩＡは、走査信号線１６ｉに繋がるトランジスタ１２Ｉを介してデータ信号線１５Ｙに接続され、画素１０５の画素電極１７ＩＢは、結合容量を介して画素電極１７ＩＡに接続され、画素１０６の画素電極１７ＪＡは、走査信号線１６ｊに繋がるトランジスタ１２Ｊを介してデータ信号線１５Ｘに接続され、画素１０６の画素電極１７ＪＢは、結合容量を介して画素電極１７ＪＡに接続される。
【００７２】
なお、走査信号線１６ｉと走査信号線１６ｉとが同時選択され、走査信号線１６ｍと走査信号線１６ｎとが同時選択される（後述）。
【００７３】
また、保持容量配線１８ｐと画素電極１７ｉａ・１７ｉｂ・１７ＩＡ・１７ＩＢそれぞれとの間に保持容量が形成され、保持容量配線１８ｑと画素電極１７ｊａ・１７ｊｂ・１７ＪＡ・１７ＪＢそれぞれとの間に保持容量が形成され、保持容量配線１８ｒと画素電極１７ｍａ・１７ｍｂ・１７ＭＡ・１７ＭＢそれぞれとの間に保持容量が形成され、保持容量配線１８ｓと画素電極１７ｎａ・１７ｎｂ・１７ＮＡ・１７ＮＢそれぞれとの間に保持容量が形成されている。また、図示していないが、各画素電極と共通電極との間に液晶容量が形成されている。
【００７４】
図２０は、図１９の液晶パネル（ノーマリブラックモード）を備えた本液晶表示装置の駆動方法を示すタイミングチャートである。なお、Ｓｘ・Ｓｙ・ＳＸ・ＳＹはそれぞれデータ信号線１５ｘ・１５ｙ・１５Ｘ・１５Ｙに供給されるデータ信号（データ信号）を示し、ＧＰｉ・ＧＰｊ・ＧＰｍ・ＧＰｎはそれぞれ、走査信号線１６ｉ・１６ｊ・１６ｍ・１６ｎに供給されるゲートパルス信号を示している。
【００７５】
図２０に示すように、データ信号線および走査信号線の駆動は図１と同様である。ここで、画素内にて容量結合された２つの画素電極の一方のみがトランジスタに接続され、他方は電気的にフローティングになっているため、一方の画素電極（例えば、１７ｉａ）の電位はデータ信号と同一となるが、他方の画素電極（例えば、１７ｉｂ）の電位はデータ信号の電位と同一かそれよりもＶｃｏｍ（共通電極の電位）に近い値となる。したがって、画素電極１７ｉａ・１７ｉｂ・１７ｊａ・１７ｊｂ・１７ＩＡ・１７ＩＢ・１７ｍａ・１７ｍｂ・１７ｎａ・１７ｎｂの電位はそれぞれ、図２０のＶｉａ・Ｖｉｂ・Ｖｊａ・Ｖｊｂ・ＶＩＡ・ＶＩＢ・Ｖｍａ・Ｖｍｂ・Ｖｎａ・Ｖｎｂに示すようになり、図２０のＦ１における各画素の極性分布および明・暗副画素の配置は図２１のようになる。
【００７６】
本液晶表示装置でも明・暗副画素によって中間調を表示することができるため、視野角特性を高めることができる。
【００７７】
また、２個の走査パルスを立ち下げるタイミングで、２個の走査パルスを立ち上げるため、２個の走査パルスの立ち下げによってデータ信号線が受ける影響（電位の突き下げ）が、２個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【００７８】
〔実施の形態４〕
図２２は実施の形態４にかかる液晶パネルの一部を示す等価回路図である。図２２に示すように、本液晶パネルのデータ信号線、走査信号線、および保持容量配線並びに画素の配置は図２と同じである。
【００７９】
そして、各画素には２つずつ画素電極が配され、画素１０１の画素電極１７ｉａは、走査信号線１６ｉに繋がるトランジスタ１２ｉａを介してデータ信号線１５ｘに接続され、画素電極１７ｉｂは、走査信号線１６ｉに繋がるトランジスタ１２ｉｂを介してデータ信号線１５ｘに接続されるとともに、走査信号線１６ｍに繋がるトランジスタ１１２ｍを介して、保持容量配線１８ｑと容量を形成する容量電極に接続され、画素１０２の画素電極１７ｊａは、走査信号線１６ｊに繋がるトランジスタ１２ｊａを介してデータ信号線１５ｙに接続され、画素電極１７ｊｂは、走査信号線１６ｊに繋がるトランジスタ１２ｊｂを介してデータ信号線１５ｙに接続されるとともに、走査信号線１６ｎに繋がるトランジスタ１１２ｎを介して、保持容量配線１８ｒと容量を形成する容量電極に接続され、画素１０３の画素電極１７ｍａは、走査信号線１６ｍに繋がるトランジスタ１２ｍａを介してデータ信号線１５ｘに接続され、画素電極１７ｍｂは、走査信号線１６ｍに繋がるトランジスタ１２ｍｂを介してデータ信号線１５ｘに接続されるとともに、走査信号線１６ｗに繋がるトランジスタ１１２ｗを介して、保持容量配線１８ｓと容量を形成する容量電極に接続され、画素１０４の画素電極１７ｎａは、走査信号線１６ｎに繋がるトランジスタ１２ｎａを介してデータ信号線１５ｙに接続され、画素電極１７ｎｂは、走査信号線１６ｎに繋がるトランジスタ１２ｎｂを介してデータ信号線１５ｙに接続されるとともに、走査信号線１６ｗの次段の走査信号線に繋がるトランジスタを介して、保持容量配線１８ｓの次の（走査方向下流側の）保持容量配線と容量を形成する容量電極に接続され、画素１０５の画素電極１７ＩＡは、走査信号線１６ｉに繋がるトランジスタ１２ＩＡを介してデータ信号線１５Ｙに接続され、画素電極１７ＩＢは、走査信号線１６ｉに繋がるトランジスタ１２ＩＢを介してデータ信号線１５Ｙに接続されるとともに、走査信号線１６ｍに繋がるトランジスタ１１２Ｍを介して、保持容量配線１８ｑと容量を形成する容量電極に接続され、画素１０６の画素電極１７ＪＡは、走査信号線１６ｊに繋がるトランジスタ１２ＪＡを介してデータ信号線１５Ｘに接続され、画素電極１７ＪＢは、走査信号線１６ｊに繋がるトランジスタ１２ＪＢを介してデータ信号線１５Ｘに接続されるとともに、走査信号線１６ｎに繋がるトランジスタ１１２Ｎを介して、保持容量配線１８ｒと容量を形成する容量電極に接続されている。
【００８０】
なお、走査信号線１６ｉと走査信号線１６ｊとが同時選択され、走査信号線１６ｍと走査信号線１６ｎとが同時選択される（後述）。
【００８１】
また、保持容量配線１８ｐと画素電極１７ｉａ・１７ｉｂ・１７ＩＡ・１７ＩＢそれぞれとの間に保持容量が形成され、保持容量配線１８ｑと画素電極１７ｊａ・１７ｊｂ・１７ＪＡ・１７ＪＢそれぞれとの間に保持容量が形成され、保持容量配線１８ｒと画素電極１７ｍａ・１７ｍｂ・１７ＭＡ・１７ＭＢそれぞれとの間に保持容量が形成され、保持容量配線１８ｓと画素電極１７ｎａ・１７ｎｂ・１７ＮＡ・１７ＮＢそれぞれとの間に保持容量が形成されている。また、図示していないが、各画素電極と共通電極との間に液晶容量が形成されている。
【００８２】
図２３は、図２２の液晶パネル（ノーマリブラックモード）を備えた本液晶表示装置の駆動方法を示すタイミングチャートである。なお、Ｓｘ・Ｓｙ・ＳＸ・ＳＹはそれぞれデータ信号線１５ｘ・１５ｙ・１５Ｘ・１５Ｙに供給されるデータ信号（データ信号）を示し、ＧＰｉ・ＧＰｊ・ＧＰｍ・ＧＰｎはそれぞれ、走査信号線１６ｉ・１６ｊ・１６ｍ・１６ｎに供給されるゲートパルス信号を示している。
【００８３】
同図に示すように、データ信号線および走査信号線の駆動は図１と同様であるが、同一画素に含まれる２つの画素電極それぞれが別々のトランジスタを介して同一データ信号線に接続され、かつ一方の画素電極のみが後段の走査信号線に接続されたトランジスタを介して、保持容量配線と容量を形成する容量電極に接続されるため、この一方の画素電極の電位は、後段の走査信号線がアクティブとなった後にデータ信号と同じかそれよりもＶｃｏｍ（共通電極の電位）に近い値となり、他方の画素電極はデータ信号と同電位となる。したがって、画素電極１７ｉａ・１７ｉｂ・１７ｊａ・１７ｊｂ・１７ＩＡ・１７ＩＢ・１７ｍａ・１７ｍｂ・１７ｎａ・１７ｎｂの電位はそれぞれ、図２３のＶｉａ・Ｖｉｂ・Ｖｊａ・Ｖｊｂ・ＶＩＡ・ＶＩＢ・Ｖｍａ・Ｖｍｂ・Ｖｎａ・Ｖｎｂに示すようになり、図２３のＦ１における各画素の極性分布および明・暗副画素の配置は図２４のようになる。
【００８４】
本液晶表示装置では明・暗副画素によって中間調を表示することができるため、視野角特性を高めることができる。さらに、１画素内の２つの画素電極それぞれが電気的にフローティングとならないので、画素の焼き付き等を抑制することができる。
【００８５】
また、２個の走査パルスを立ち下げるタイミングで、別の２個の走査パルスを立ち上げるため、２個の走査パルスの立ち下げによってデータ信号線が受ける影響（電位の突き下げ）が、２個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【００８６】
〔実施の形態５〕
図２５は実施の形態５にかかる液晶パネルの一部を示す等価回路図である。図２５に示すように、本液晶パネルのデータ信号線、走査信号線、および保持容量配線並びに画素の配置は図１３と同じである。
【００８７】
さらに、各画素には２つずつ画素電極が配され、画素領域１０１の画素電極１７ｉａは、走査信号線１６ｉに繋がるトランジスタ１２ｉａを介してデータ信号線１５ｘに接続され、画素領域１０１の画素電極１７ｉｂは、走査信号線１６ｉに繋がるトランジスタ１２ｉｂを介してデータ信号線１５ｙに接続され、画素領域１０２の画素電極１７ｊａは、走査信号線１６ｊに繋がるトランジスタ１２ｊａを介してデータ信号線１５ｘに接続され、画素領域１０２の画素電極１７ｊｂは、走査信号線１６ｊに繋がるトランジスタ１２ｊｂを介してデータ信号線１５ｙに接続され、画素領域１０３の画素電極１７ｍａは、走査信号線１６ｍに繋がるトランジスタ１２ｍａを介してデータ信号線１５ｘに接続され、画素領域１０３の画素電極１７ｍｂは、走査信号線１６ｍに繋がるトランジスタ１２ｍｂを介してデータ信号線１５ｙに接続され、画素１０４の画素電極１７ｎａは、走査信号線１６ｎに繋がるトランジスタ１２ｎａを介してデータ信号線１５ｘに接続され、画素１０４の画素電極１７ｎｂは、走査信号線１６ｎに繋がるトランジスタ１２ｎｂを介してデータ信号線１５ｙに接続され、画素１０５の画素電極１７ＩＡは、走査信号線１６ｉに繋がるトランジスタ１２ＩＡを介してデータ信号線１５Ｘに接続され、画素１０５の画素電極１７ＩＢは、走査信号線１６ｉに繋がるトランジスタ１２ＩＢを介してデータ信号線１５Ｙに接続され、画素１０６の画素電極１７ＪＡは、走査信号線１６ｊに繋がるトランジスタ１２ＪＡを介してデータ信号線１５Ｘに接続され、画素１０６の画素電極１７ＪＢは、走査信号線１６ｊに繋がるトランジスタ１２ＪＢを介してデータ信号線１５Ｙに接続される。
【００８８】
また、保持容量配線１８ｋと画素電極１７ｉａ・１７ＩＡそれぞれとの間に保持容量が形成され、保持容量配線１８ｐと画素電極１７ｉｂ・１７ＩＢ・１７ｊａ・１７ＪＡそれぞれとの間に保持容量が形成され、保持容量配線１８ｑと１７ｊｂ・１７ＪＢ・１７ｍａ・１７ＭＡ画素電極それぞれとの間に保持容量が形成され、保持容量配線１８ｒと画素電極１７ｍｂ・１７ＭＢ・１７ｎａ・１７ＮＡそれぞれとの間に保持容量が形成されている。また、図示していないが、各画素電極と共通電極との間に液晶容量が形成されている。
【００８９】
図２６は、図２５の液晶パネル（ノーマリブラックモード）を備えた本液晶表示装置の駆動方法を示すタイミングチャートである。なお、Ｓｘ・Ｓｙ・ＳＸ・ＳＹはそれぞれデータ信号線１５ｘ・１５ｙ・１５Ｘ・１５Ｙに供給されるデータ信号（データ信号）を示し、ＧＰｉ・ＧＰｊ・ＧＰｍ・ＧＰｎはそれぞれ、走査信号線１６ｉ・１６ｊ・１６ｍ・１６ｎに供給されるゲートパルス信号を示している。
【００９０】
本駆動方法では、図２６に示されるように、走査信号線を１本ずつ選択していきつつ、データ信号線に一垂直走査期間（１Ｖ）ごとに極性が反転するデータ信号を供給し、同一垂直走査期間においては、１画素列に対応する２本のデータ信号線に供給するデータ信号（信号電位）を同じ極性とするとともに、それぞれが異なる画素列に対応して設けられ、互いに隣り合う２つのデータ信号線に供給するデータ信号を異なる極性とする。さらに、同一水平走査期間においては、１画素列に対応する２本のデータ信号線の一方に供給するデータ信号の絶対値（Ｖｃｏｍを基準とする）を、他方に供給するデータ信号の絶対値以下とする。
【００９１】
そして、１個の走査パルスを立ち下げるタイミングで、別の１個の走査パルスを立ち上げ、自段に対応する水平走査期間の開始と同時に自段の走査パルスを立ち上げ、次段に対応する水平走査期間の開始（自段に対応する水平走査期間の終了）と同時に自段の走査パルスを立ち下げる。
【００９２】
具体的には、連続するフレームＦ１・Ｆ２のＦ１では以下の駆動方法となる。まずＦ１においてはデータ信号線１５ｘ・１５ｙにはプラス極性のデータ信号を供給し、データ信号線１５Ｘ・１５Ｙにはマイナス極性のデータ信号を供給する。
【００９３】
そして、ｋ番目の水平走査期間の開始（すなわち、ｋ番目の水平走査期間に対応するデータ信号への切り替わり）と同時にゲートパルス信号ＧＰｉを立ち上げ、（ｋ＋１）番目の水平走査期間の開始（ｋ番目の水平走査期間の終了）と同時にパルスＰｉを立ち下げる。
【００９４】
これにより、図２６・２７に示すように、画素１０１の画素電極１７ｉａにはプラス極性のデータ信号が書き込まれ、画素電極１７ｉｂには、画素電極１７ｉａに書き込まれたデータ信号よりも絶対値の小さな、プラス極性のデータ信号が書き込まれる。また、画素１０５の画素電極１７ＩＢにはマイナス極性のデータ信号が書き込まれ、画素電極１７ＩＡには、画素電極１７ＩＢに書き込まれたデータ信号よりも絶対値の小さな、マイナス極性のデータ信号が書き込まれる。
【００９５】
また、（ｋ＋１）番目の水平走査期間の開始と同時にゲートパルス信号ＧＰｊのパルスＰｊを立ち上げ、（ｋ＋２）番目の水平走査期間の開始と同時にパルスＰｊを立ち下げる。
【００９６】
これにより、図２６・２７に示すように、画素１０２の画素電極１７ｊａにはプラス極性のデータ信号が書き込まれ、画素電極１７ｊｂには、画素電極１７ｊａに書き込まれたデータ信号よりも絶対値の小さな、プラス極性のデータ信号が書き込まれる。また、画素１０６の画素電極１７ＪＢにはマイナス極性のデータ信号が書き込まれ、画素電極１７ＪＡには、画素電極１７ＪＢに書き込まれたデータ信号よりも絶対値の小さな、マイナス極性のデータ信号が書き込まれる。
【００９７】
また、（ｋ＋２）番目の水平走査期間の開始と同時にゲートパルス信号ＧＰｍのパルスＰｍを立ち上げ、（ｋ＋３）番目の水平走査期間の開始と同時にパルスＰｍを立ち下げる。
【００９８】
これにより、図２６・２７に示すように、画素１０３の画素電極１７ｍａにはプラス極性のデータ信号が書き込まれ、画素電極１７ｍｂには、画素電極１７ｍａに書き込まれたデータ信号よりも絶対値の小さな、プラス極性のデータ信号が書き込まれる。また、画素１０７の画素電極１７ＭＢにはマイナス極性のデータ信号が書き込まれ、画素電極１７ＭＡには、画素電極１７ＭＢに書き込まれたデータ信号よりも絶対値の小さな、マイナス極性のデータ信号が書き込まれる。
【００９９】
また、（ｋ＋３）番目の水平走査期間の開始と同時にゲートパルス信号ＧＰｎのパルスＰｎを立ち上げ、（ｋ＋４）番目の水平走査期間の開始と同時にパルスＰｎを立ち下げる。
【０１００】
これにより、図２６・２７に示すように、画素１０４の画素電極１７ｎａにはプラス極性のデータ信号が書き込まれ、画素電極１７ｎｂには、画素電極１７ｎａに書き込まれたデータ信号よりも絶対値の小さな、プラス極性のデータ信号が書き込まれる。また、画素１０８の画素電極１７ＮＢにはマイナス極性のデータ信号が書き込まれ、画素電極１７ＮＡには、画素電極１７ＮＢに書き込まれたデータ信号よりも絶対値の小さな、マイナス極性のデータ信号が書き込まれる。
【０１０１】
本液晶表示装置では明・暗副画素によって中間調を表示することができるため、視野角特性を高めることができる。また、明暗市松表示によって、明副画素あるいは暗副画素が連続して並ぶことで生じる縞状のムラを抑制することができる
また、本液晶表示装置でも、１個の走査パルスを立ち下げるタイミングで、別の１個の走査パルスを立ち上げるため、１個の走査パルスの立ち下げによってデータ信号線が受ける影響（電位の突き下げ）が、１個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【０１０２】
〔実施の形態６〕
図２８は実施の形態６にかかる液晶パネルの一部を示す等価回路図である。図２８に示すように、本液晶パネルでは、データ信号線１５ｚ・１５ｘ・１５Ｘがこの順に並べられ、行方向（図中左右方向）に延伸する走査信号線１６ｉ・１６ｊ・１６ｍ・１６ｎ・１６ｗがこの順に並べられ、データ信号線１５ｘおよび走査信号線１６ｉの交差部に対応して画素１０1が設けられ、データ信号線１５ｘおよび走査信号線１６ｊの交差部に対応して画素１０２が設けられ、データ信号線１５ｘおよび走査信号線１６ｍの交差部に対応して画素１０３が設けられ、データ信号線１５ｘおよび走査信号線１６ｎの交差部に対応して画素１０４が設けられ、データ信号線１５Ｘおよび走査信号線１６ｉの交差部に対応して画素１０５が設けられ、データ信号線１５Ｘおよび走査信号線１６ｊの交差部に対応して画素１０６が設けられ、データ信号線１５Ｘおよび走査信号線１６ｍの交差部に対応して画素１０７が設けられ、データ信号線１５Ｘおよび走査信号線１６ｎの交差部に対応して画素１０８が設けられ、画素１０１・１０５に対応して保持容量配線１８ｐが設けられ、画素１０２・１０６に対応して保持容量配線１８ｑが設けられ、画素１０３・１０７に対応して保持容量配線１８ｒが設けられ、画素１０４・１０８に対応して保持容量配線１８ｓが設けられている。
【０１０３】
ここで、画素１０１〜１０４を含む画素列αの両隣に、画素列γと画素１０５〜１０８を含む画素列βとが配され、データ信号線１５ｘは画素列αに対応して設けられ、データ信号線１５Ｘは画素列βに対応して設けられている。
【０１０４】
さらに、各画素には１つずつ画素電極が配され、画素１０１の画素電極１７ｉは、走査信号線１６ｉに繋がるトランジスタ１２ｉを介してデータ信号線１５ｘに接続され、画素１０２の画素電極１７ｊは、走査信号線１６ｊに繋がるトランジスタ１２ｊを介してデータ信号線１５ｘに接続され、画素１０３の画素電極１７ｍは、走査信号線１６ｍに繋がるトランジスタ１２ｍを介してデータ信号線１５ｘに接続され、画素１０４の画素電極１７ｎは、走査信号線１６ｎに繋がるトランジスタ１２ｎを介してデータ信号線１５ｘに接続され、画素１０５の画素電極１７Ｉは、走査信号線１６ｉに繋がるトランジスタ１２Ｉを介してデータ信号線１５Ｘに接続され、画素１０６の画素電極１７Ｊは、走査信号線１６ｊに繋がるトランジスタ１２Ｊを介してデータ信号線１５Ｘに接続され、画素１０７の画素電極１７Ｍは、走査信号線１６ｍに繋がるトランジスタ１２Ｍを介してデータ信号線１５Ｘに接続され、画素１０８の画素電極１７Ｎは、走査信号線１６ｎに繋がるトランジスタ１２Ｎを介してデータ信号線１５Ｘに接続される。
【０１０５】
また、保持容量配線１８ｐと画素電極１７ｉ・１７Ｉそれぞれとの間に保持容量が形成され、保持容量配線１８ｑと画素電極１７ｊ・１７Ｊそれぞれとの間に保持容量が形成され、保持容量配線１８ｒと画素電極１７ｍ・１７Ｍそれぞれとの間に保持容量が形成され、保持容量配線１８ｓと画素電極１７ｎ・１７Ｎそれぞれとの間に保持容量が形成され、各画素電極と共通電極ｃｏｍとの間に液晶容量が形成される。
【０１０６】
図２９は、図２８の液晶パネル（ノーマリブラックモード）を備えた本液晶表示装置の駆動方法を示すタイミングチャートである。なお、Ｓｚ・Ｓｘ・ＳＸはそれぞれデータ信号線１５ｚ・１５ｘ・１５Ｘに供給されるデータ信号（データ信号）を示し、ＧＰｉ・ＧＰｊ・ＧＰｍ・ＧＰｎはそれぞれ、走査信号線１６ｉ・１６ｊ・１６ｍ・１６ｎに供給されるゲートパルス信号を示している。
【０１０７】
本駆動方法では、図２９に示されるように、走査信号線を１本ずつ同時選択していきつつ、データ信号線に一垂直走査期間（１Ｖ）ごとに極性が反転するデータ信号を供給し、同一垂直走査期間においては、それぞれが異なる画素列に対応して設けられ、互いに隣り合う２つのデータ信号線に供給するデータ信号を異なる極性とする。そして、１個の走査パルスを立ち下げるタイミングで、１個の走査パルスを立ち上げ、自段に対応する水平走査期間の開始と同時に自段の走査パルスを立ち上げ、次段に対応する水平走査期間の開始（自段に対応する水平走査期間の終了）と同時に自段の走査パルスを立ち下げる。
【０１０８】
例えば、Ｆ１においてはデータ信号線１５ｚ・１５Ｘにはマイナス極性のデータ信号を供給し、データ信号線１５ｘにはプラス極性のデータ信号を供給する。
【０１０９】
そして、ｋ番目の水平走査期間の開始（すなわち、ｋ番目の水平走査期間に対応するデータ信号への切り替わり）と同時にゲートパルス信号ＧＰｉのパルスＰｉを立ち上げ、（ｋ＋１）番目の水平走査期間の開始（ｋ番目の水平走査期間の終了）と同時にパルスＰｉを立ち下げる。また、（ｋ＋１）番目の水平走査期間の開始と同時にゲートパルス信号ＧＰｊのパルスＰｊを立ち上げ、（ｋ＋２）番目の水平走査期間の開始と同時にパルスＰｊを立ち下げる。また、（ｋ＋２）番目の水平走査期間の開始と同時にゲートパルス信号ＧＰｍのパルスＰｍを立ち上げ、（ｋ＋３）番目の水平走査期間の開始と同時にパルスＰｍを立ち下げる。また、（ｋ＋３）番目の水平走査期間の開始と同時にゲートパルス信号ＧＰｎのパルスＰｎを立ち上げ、（ｋ＋４）番目の水平走査期間の開始と同時にパルスＰｎを立ち下げる。
【０１１０】
本液晶表示装置では、１個の走査パルスを立ち下げるタイミングで、別の１個の走査パルスを立ち上げるため、１個の走査パルスの立ち下げによってデータ信号線が受ける影響（電位の突き下げ）が、１個の走査パルスの立ち上げによってデータ信号線が受ける影響（電位の突き上げ）によって打ち消される。これにより、１Ｖ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【０１１１】
図２９の駆動方法では、自段に対応する水平走査期間の開始と同時に自段の走査パルスを立ち上げ、次段に対応する水平走査期間の開始（自段に対応する水平走査期間の終了）と同時に自段の走査パルスを立ち下げているがこれに限定されない。例えば、図３０に示すように、前段に対応する水平走査期間の開始と同時に自段の走査パルスを立ち上げ、次段に対応する水平走査期間の開始（自段に対応する水平走査期間の終了）と同時に自段の走査パルスを立ち下げてもよい。この場合、走査パルスの幅は２Ｈとなる。
【０１１２】
具体的には、（ｋ−１）番目の水平走査期間の開始と同時にパルスＰｉを立ち上げ、ｋ番目の水平走査期間の開始と同時にパルスＰｊを立ち上げ、（ｋ＋１）番目の水平走査期間の開始（ｋ番目の水平走査期間の終了）と同時にパルスＰｉを立ち下げるとともに、パルスＰｍを立ち上げる。また、（ｋ＋２）番目の水平走査期間の開始と同時にパルスＰｊを立ち下げるとともに、パルスＰｎを立ち上げる。
【０１１３】
図３０の駆動方法では、パルスの前半（１Ｈ）でプリチャージして後半（１Ｈ）で本チャージすることができるため、画素充電率を高めることができる。もちろんこの場合においても、１個の走査パルスが立ち下がるタイミングで、１個の走査パルスが立ち上がるため、リップルの大きさがデータ信号の供給源から離れるにしたがって大きくなるような現象（図３６参照）を抑え、表示品位を高めることができる。
【０１１４】
上記各実施の形態では、ＬＴ反転駆動の１つとして１Ｖ反転駆動を用いているが、これに限定されない。ｎＶ反転駆動を用いても（例えば、データ信号線に供給するデータ信号の極性を２フレームごとに反転させても）よいし、ｎＨ反転駆動を用いても（例えば、データ信号線に供給するデータ信号の極性を１２Ｈごとに反転させても）よい。
【０１１５】
なお、図１等で示した、データ信号線に供給する信号電位の波形は、トランジスタＯＦＦ時の画素電位の引き込みが無視できる場合（信号電位の中心値＝Ｖｃｏｍとなる場合）についてのものである（説明の便宜のため）。画素電位の引き込みが無視できない場合には、信号電位の中心値をＶｃｏｍよりも高くすればよく、さらに、階調（データ信号）によって引き込みの量が変化するような場合には、階調（データ信号）に応じて信号電位の中心値を変化させればよい。
【０１１６】
図３１は、本液晶表示装置の構成を示すブロック図である。同図に示されるように、本液晶表示装置は、表示部（液晶パネル）と、ソースドライバ（ＳＤ）と、ゲートドライバ（ＧＤ）と、表示制御回路とを備えている。ソースドライバはデータ信号線を駆動し、ゲートドライバは走査信号線を駆動し、表示制御回路は、ソースドライバおよびゲートドライバを制御する。なお、必要に応じて保持容量配線（Ｃｓ配線）を駆動する保持容量配線駆動回路を設けてもよい。
【０１１７】
表示制御回路は、外部の信号源（例えばチューナ）から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取る。また、表示制御回路は、受け取ったこれらの信号Ｄｖ，ＨＳＹ，ＶＳＹ，Ｄｃに基づき、そのデジタルビデオ信号Ｄｖの表す画像を表示部に表示させるための信号として、データスタートパルス信号ＳＳＰと、データクロック信号ＳＣＫと、表示すべき画像を表すデジタル画像信号ＤＡ（デジタルビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成し、これらを出力する。
【０１１８】
より詳しくは、デジタルビデオ信号Ｄｖを内部メモリで必要に応じてタイミング調整等を行った後に、デジタル画像信号ＤＡとして表示制御回路から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づきゲートドライバ出力制御信号ＧＯＥを生成する。
【０１１９】
上記のようにして表示制御回路において生成された信号のうち、デジタル画像信号ＤＡ、データ信号（データデータ信号）の極性を制御する極性反転信号ＰＯＬ、データスタートパルス信号ＳＳＰ、およびデータクロック信号ＳＣＫは、ソースドライバに入力され、ゲートスタートパルス信号ＧＳＰとゲートクロック信号ＧＣＫとゲートドライバ出力制御信号ＧＯＥとは、ゲートドライバに入力される。
【０１２０】
ソースドライバは、デジタル画像信号ＤＡ、データクロック信号ＳＣＫ、データスタートパルス信号ＳＳＰ、および極性反転信号ＰＯＬに基づき、デジタル画像信号ＤＡの表す画像の各走査信号線における画素値に相当するアナログ電位（データ信号）を１水平走査期間毎に順次生成し、これらのデータ信号をデータ信号線に出力する。
【０１２１】
ゲートドライバは、ゲートスタートパルス信号ＧＳＰおよびゲートクロック信号ＧＣＫと、ゲートドライバ出力制御信号ＧＯＥとに基づき、ゲートオンパルス信号を生成し、これらを走査信号線に出力し、これによって走査信号線を選択的に駆動する。
【０１２２】
上記のようにソースドライバおよびゲートドライバにより表示部（液晶パネル）のデータ信号線および走査信号線が駆動されることで、選択された走査信号線に接続されたトランジスタ（ＴＦＴ）を介して、データ信号線から画素電極にデータ信号が書き込まれる。これにより各副画素の液晶層に電圧が印加され、これによってバックライトからの光の透過量が制御され、デジタルビデオ信号Ｄｖの示す画像が表示される。
【０１２３】
次に、本液晶表示装置をテレビジョン受信機に適用するときの一構成例について説明する。図３２は、テレビジョン受信機用の液晶表示装置８００の構成を示すブロック図である。液晶表示装置８００は、液晶表示ユニット８４と、Ｙ／Ｃ分離回路８０と、ビデオクロマ回路８１と、Ａ／Ｄコンバータ８２と、液晶コントローラ８３と、バックライト駆動回路８５と、バックライト８６と、マイコン（マイクロコンピュータ）８７と、階調回路８８とを備えている。なお、液晶表示ユニット８４は、液晶パネルと、これを駆動するためのソースドライバおよびゲートドライバとで構成される。
【０１２４】
上記構成の液晶表示装置８００では、まず、テレビジョン信号としての複合カラー映像信号Ｓｃｖが外部からＹ／Ｃ分離回路８０に入力され、そこで輝度信号と色信号に分離される。これらの輝度信号と色信号は、ビデオクロマ回路８１にて光の３原色に対応するアナログＲＧＢ信号に変換され、さらに、このアナログＲＧＢ信号はＡ／Ｄコンバータ８２により、デジタルＲＧＢ信号に変換される。このデジタルＲＧＢ信号は液晶コントローラ８３に入力される。また、Ｙ／Ｃ分離回路８０では、外部から入力された複合カラー映像信号Ｓｃｖから水平および垂直同期信号も取り出され、これらの同期信号もマイコン８７を介して液晶コントローラ８３に入力される。
【０１２５】
液晶表示ユニット８４には、液晶コントローラ８３からデジタルＲＧＢ信号が、上記同期信号に基づくタイミング信号と共に所定のタイミングで入力される。また、階調回路８８では、カラー表示の３原色Ｒ，Ｇ，Ｂそれぞれの階調電位が生成され、それらの階調電位も液晶表示ユニット８４に供給される。液晶表示ユニット８４では、これらのＲＧＢ信号、タイミング信号および階調電位に基づき内部のソースドライバやゲートドライバ等により駆動用信号（データ信号＝データ信号、走査信号等）が生成され、それらの駆動用信号に基づき、内部の液晶パネルにカラー画像が表示される。なお、この液晶表示ユニット８４によって画像を表示するには、液晶表示ユニット内の液晶パネルの後方から光を照射する必要があり、この液晶表示装置８００では、マイコン８７の制御の下にバックライト駆動回路８５がバックライト８６を駆動することにより、液晶パネルの裏面に光が照射される。上記の処理を含め、システム全体の制御はマイコン８７が行う。なお、外部から入力される映像信号（複合カラー映像信号）としては、テレビジョン放送に基づく映像信号のみならず、カメラにより撮像された映像信号や、インターネット回線を介して供給される映像信号なども使用可能であり、この液晶表示装置８００では、様々な映像信号に基づいた画像表示が可能である。
【０１２６】
液晶表示装置８００でテレビジョン放送に基づく画像を表示する場合には、図３３に示すように、液晶表示装置８００にチューナ部９０が接続され、これによって本テレビジョン受像機７０１が構成される。このチューナ部９０は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは、既述のように液晶表示装置８００に入力され、この複合カラー映像信号Ｓｃｖに基づく画像が該液晶表示装置８００によって表示される。
【０１２７】
図３４は、本テレビジョン受像機の一構成例を示す分解斜視図である。同図に示すように、本テレビジョン受像機７０１は、その構成要素として、液晶表示装置８００の他に第１筐体８０１および第２筐体８０６を有しており、液晶表示装置８００を第１筐体８０１と第２筐体８０６とで包み込むようにして挟持した構成となっている。第１筐体８０１には、液晶表示装置８００で表示される画像を透過させる開口部８０１ａが形成されている。また、第２筐体８０６は、液晶表示装置８００の背面側を覆うものであり、当該液晶表示装置８００を操作するための操作用回路８０５が設けられると共に、下方に支持用部材８０８が取り付けられている。
【０１２８】
本発明の表示装置は、複数の走査信号線と複数のデータ信号線とが設けられた表示装置であって、各データ信号線に、一垂直走査期間あるいは複数垂直走査期間または複数水平走査期間ごとに極性が反転するデータ信号が出力され、同一水平走査期間には、任意のデータ信号線とこれの一方の側に隣接配置されるデータ信号線とに互いに逆極性となるデータ信号が出力され、走査信号線がＮ本ずつ（Ｎは１以上の整数）順次アクティブ状態とされ、Ｎ本の走査信号線がアクティブ状態から非アクティブ化されるタイミングで、別のＮ本の走査信号線が非アクティブ状態からアクティブ化されることを特徴とする。換言すれば、Ｎ本の走査信号線がアクティブ状態から非アクティブ化されるのと実質的に同時となるように、別のＮ本の走査信号線が非アクティブ状態からアクティブ化される。
【０１２９】
上記構成によれば、Ｎ本の走査信号線が非アクティブ化するタイミングで、別のＮ本の走査信号線がアクティブ化するため、Ｎ本の走査信号線の非アクティブ化（例えば、Ｎ個の走査パルスの立ち下げ）によってデータ信号線が受ける影響（例えば、電位の突き下げ）が、Ｎ本の走査信号線のアクティブ化（例えば、Ｎ個の走査パルスの立ち上げ）によってデータ信号線が受ける影響（例えば、電位の突き上げ）によって概ね打ち消される。これにより、ＬＴ反転駆動においてもデータ信号線の電位に生じるリップル（波状の変動）を小さくすることができ、リップルの大きさがデータ信号の供給源から離れるにしたがって大きくなるような現象（図３６参照）を抑え、表示品位を高めることができる。
【０１３０】
本表示装置では、１本の走査信号線は、これに供給される１つの走査パルスの立ち上がりによってアクティブ化された後にこの走査パルスの立ち下がりによって非アクティブ化されるか、または、これに供給される１つの走査パルスの立ち下がりによってアクティブ化された後にこの走査パルスの立ち上がりによって非アクティブ化される構成とすることもできる。
【０１３１】
本表示装置では、Ｎが２以上である（走査信号線を２本同時選択する）構成とすることもできる。
【０１３２】
本表示装置では、自段に対応する水平走査期間の開始と同時に自段の走査パルスがアクティブ化し、自段に対応する水平走査期間の終了と同時に自段の走査パルスが非アクティブ化する構成とすることもできる。
【０１３３】
本表示装置では、前段に対応する水平走査期間の開始と同時に自段の走査パルスがアクティブ化し、自段に対応する水平走査期間の終了と同時に自段の走査パルスが非アクティブ化する構成とすることもできる。
【０１３４】
本表示装置では、データ信号線の断線修正を行うための予備配線が設けられ、断線修正されたデータ信号線には、一方端からデータ信号が入力されるとともに、予備配線を経由して他方端からも該データ信号が入力される構成とすることもできる。
【０１３５】
本表示装置では、Ｎが２であって走査信号線が２本ずつ同時選択され、互いに隣り合う第１および第２画素列それぞれに対応して２本ずつデータ信号線が設けられ、各画素には１つ以上の画素電極が含まれ、第１画素列に含まれる１つの画素電極は、トランジスタを介して、第１画素列に対応する２本のデータ信号線のいずれかに接続され、第２画素列に含まれる１つの画素電極は、トランジスタを介して、第２画素列に対応する２本のデータ信号線のいずれかに接続されている構成とすることもできる。
【０１３６】
本表示装置では、第１画素列に含まれる各画素電極は、第１画素列に対応して設けられた２本のデータ信号線それぞれに重なるように配され、第２画素列に含まれる各画素電極は、第２画素列に対応して設けられた２本のデータ信号線それぞれに重なるように配されている構成とすることもできる。
【０１３７】
本表示装置では、第１および第２画素列それぞれにおいて、連続する２つの画素の一方に含まれる画素電極がトランジスタを介して接続されるデータ信号線と、他方に含まれる画素電極がトランジスタを介して接続されるデータ信号線とが異なっており、上記連続する２つの画素の一方に含まれる画素電極が接続されるトランジスタが、同時選択される２本の走査信号線の一方に接続され、上記連続する２つの画素の他方に含まれる画素電極が接続されるトランジスタが、同時選択される上記２本の走査信号線の他方に接続されている構成とすることもできる。
【０１３８】
本表示装置では、同一水平走査期間には、１画素列に対応する２本のデータ信号線に異なる極性のデータ信号が供給される構成とすることもできる。
【０１３９】
本表示装置では、同一水平走査期間には、それぞれが異なる画素列に対応し、かつ互いに隣り合う２つのデータ信号線に異なる極性のデータ信号が供給される構成とすることもできる。
【０１４０】
本表示装置では、同一水平走査期間には、それぞれが異なる画素列に対応し、かつ互いに隣り合う２つのデータ信号線に同じ極性のデータ信号が供給される構成とすることもできる。
【０１４１】
本表示装置では、１つの画素に複数の画素電極が設けられている構成とすることもできる。
【０１４２】
本表示装置では、複数の保持容量配線を備え、１つの画素に設けられた２つの画素電極が、同一の走査信号線に繋がる別々のトランジスタを介して同一のデータ信号線に接続され、一方の画素電極が保持容量配線と容量を形成し、他方の画素電極が別の保持容量配線と容量を形成している構成とすることもできる。
【０１４３】
本表示装置では、１つの画素に設けられた２つの画素電極が容量を介して接続され、一方の画素電極のみが１本の走査信号線に繋がるトランジスタを介してデータ信号線に接続されている構成とすることもできる。
【０１４４】
本表示装置では、複数の保持容量配線を備え、１つの画素に設けられた２つの画素電極が、同一の走査信号線に繋がる別々のトランジスタを介して同一のデータ信号線に接続されるとともに、一方の画素電極が別の走査信号線に繋がるトランジスタを介して、保持容量配線と容量を形成する容量電極に接続されている構成とすることもできる。
【０１４５】
本表示装置では、１つの画素に対応して２本のデータ信号線が設けられ、上記画素に設けられた２つの画素電極の一方が、同一の走査信号線に繋がる２つのトランジスタの一方を介して上記２本のデータ信号線の一方に接続され、上記２つの画素電極の他方が、上記２つのトランジスタの他方を介して上記２本のデータ信号線の他方に接続されている構成とすることもできる。
【０１４６】
本表示装置では、上記複数の走査信号線と複数のデータ信号線とが形成された基板に、櫛形の画素電極と共通電極とが形成されている構成とすることもできる。
【０１４７】
本表示装置の駆動方法は、複数の走査信号線と複数のデータ信号線とが設けられた表示装置の駆動方法であって、各データ信号線に、一垂直走査期間あるいは複数垂直走査期間または複数水平走査期間ごとに極性が反転するデータ信号を出力し、同一水平走査期間には、任意のデータ信号線とこれの一方の側に隣接配置されるデータ信号線とに互いに逆極性となるデータ信号を出力し、走査信号線をＮ本ずつ（Ｎは１以上の整数）順次アクティブ状態とし、Ｎ本の走査信号線をアクティブ状態から非アクティブ化させるタイミングで、別のＮ本の走査信号線を非アクティブ状態からアクティブ化させることを特徴とする。
【０１４８】
本液晶表示装置は、上記表示装置を備えることを特徴とする。また、本テレビジョン受像機は、上記液晶表示装置と、テレビジョン放送を受信するチューナ部とを備えることを特徴とする。
【０１４９】
本発明は上記の実施の形態に限定されるものではなく、上記実施の形態を公知技術や技術常識に基づいて適宜変更したものやそれらを組み合わせて得られるものも本発明の実施の形態に含まれる。また、各実施の形態で記載した作用効果等もほんの例示に過ぎない。
【産業上の利用可能性】
【０１５０】
本発明の表示装置は、例えば液晶テレビに好適である。
【符号の説明】
【０１５１】
１０１〜１０８  画素
１２ｉ  １２ｊ  １２ｍ  １２ｎ  トランジスタ
１５ｘ  １５ｙ  １５Ｘ  １５Ｙ  データ信号線
１６ｉ  １６ｊ  １６ｍ  １６ｎ  走査信号線
１７ｉ  １７ｊ  １７ｍ  １７ｎ  画素電極
１８ｐ  １８ｒ  １８ｓ  保持容量配線
α  β  画素列
Ｐｉ  Ｐｊ  Ｐｍ  Ｐｎ  パルス（走査パルス）
【図１】
2010119597.tif 000003
【図２】
2010119597.tif 000004
【図３】
2010119597.tif 000005
【図４】
2010119597.tif 000006
【図５】
2010119597.tif 000007
【図６】
2010119597.tif 000008
【図７】
2010119597.tif 000009
【図８】
2010119597.tif 000010
【図９】
2010119597.tif 000011
【図１０】
2010119597.tif 000012
【図１１】
2010119597.tif 000013
【図１２】
2010119597.tif 000014
【図１３】
2010119597.tif 000015
【図１４】
2010119597.tif 000016
【図１５】
2010119597.tif 000017
【図１６】
2010119597.tif 000018
【図１７】
2010119597.tif 000019
【図１８】
2010119597.tif 000020
【図１９】
2010119597.tif 000021
【図２０】
2010119597.tif 000022
【図２１】
2010119597.tif 000023
【図２２】
2010119597.tif 000024
【図２３】
2010119597.tif 000025
【図２４】
2010119597.tif 000026
【図２５】
2010119597.tif 000027
【図２６】
2010119597.tif 000028
【図２７】
2010119597.tif 000029
【図２８】
2010119597.tif 000030
【図２９】
2010119597.tif 000031
【図３０】
2010119597.tif 000032
【図３１】
2010119597.tif 000033
【図３２】
2010119597.tif 000034
【図３３】
2010119597.tif 000035
【図３４】
2010119597.tif 000036
【図３５】
2010119597.tif 000037
【図３６】
2010119597.tif 000038
【国際調査報告】
2010119597.tif 000039
2010119597.tif 000040
2010119597.tif 000041
2010119597.tif 000042